(57)【要約】【課題】本発明は、人がカーペットの表面に触れたときに、確実に冷やりとした涼しさを感じられるようにした、夏用のカーペットを提供することを目的とする。【解決手段】本発明者らは、カーペットの基布の表面側と、基布から上のパイル糸全体に相転移材料を封入したマイクロカプセルを固着させることにより、人がカーペットの表面に触れたときに、確実に冷やりとした涼しさを感じられるようにした、夏用のカーペットが得られることを見出し本発明に到達した。【選択図】        図１
2008285803.tif 000002
【特許請求の範囲】
【請求項１】
パイル糸と基布からなる表皮層と、バッキング層とを含むカ−ペットにおいて、基布から上のパイル糸に相転移材料を封入したマイクロカプセルが固着されていることに特徴のある涼感カ−ペット。
【請求項２】
パイル糸と基布からなる表皮層と、バッキング層とを含むカ−ペットにおいて、基布表面と基布から上のパイル糸に相転移材料を封入したマイクロカプセルが固着されていることに特徴のある涼感カ−ペット。
【請求項３】
前記相転移材料は、融点が２０〜３５℃で、マイクロカプセルに封入されている相転移材料であることに特徴のある請求項１または２に記載の涼感カ−ペット。
【請求項４】
前記相転移材料は、融点が２０〜３５℃で、マイクロカプセルに封入されている相転移材料で、二種類以上の融点をもつ相転移材料であることに特徴のある請求項１または２に記載の涼感カ−ペット。
【請求項５】
前記相転移材料が０．５０〜５０．０ｇ／ｍ２バインダー樹脂によってカ−ペットに固着していることに特徴のある請求項１乃至４のいずれかに記載の涼感カ−ペット。
【請求項６】
前記涼感カ−ペットにおいて、パイル糸が少なくとも綿を含んでいるパイル糸によって構成されることに特徴のある請求項１乃至５のいずれかに記載の涼感カ−ペット。
【請求項７】
前記涼感カ−ペットにおいて、ＱＭＡＸ（接触温冷感値）が０．０８５ｊ／ｃｍ２・ｓｅｃより大きいことに特徴のある請求項１乃至６のいずれかに記載の涼感カ−ペット。
【発明の詳細な説明】
【技術分野】
【０００１】
本発明は、清涼感のあるカーペットに関するものであり、人がカーペットの表面に触れたときに冷やりとした涼しさを感じるようにした、夏用のカーペットに関するものである。
【背景技術】
【０００２】
日本の住宅において、カーペットは１年を通じて多く使われるようになり、カーペットの上に座ったり、横になったりして寛ぐ家庭は多い。カーペットは、冬季には暖かさを求められ、夏季においては涼しく爽やかな感覚の得られるようなものが好まれる。この相反する性質を兼ね備えたカーペットは未だ存在していないが、冬季と夏季で、それぞれ異なる性質のカーペットを敷きかえるようにしているのが一般的である。特に夏季においては、夏用のカーペットとして、汗等の吸水性のよい綿カーペットや、イグサや籐の敷物を敷いて夏の暑さを凌ぐようにしていることが多い。
【０００３】
特許文献１においては、さらさらとした清涼感のあるカーペットを得るべく、単繊維断面の扁平率が３〜８で、該単繊維の繊度が５〜２５ｄｔｅｘのポリ乳酸繊維で構成されるポリ乳酸扁平捲縮糸を用いたカーペットが提案されている。
【０００４】
また、特許文献２においては、水和熱が負である物質と特定の無機化合物との複合体を布帛に担持させたものは清涼性に優れ、夏用の衣服やタオルなどに有用な技術として提案されている。
【０００５】
また、特許文献３においては、繊維製品に優れた接触冷感を付与すべく、融点が２５〜３７℃であり、潜熱の放出・吸収を伴って可逆的に固液相転移する潜熱蓄熱材を封入してなるマイクロカプセルを固着することによって、皮膚との接触時に心地よい冷感を与え、暑さによる不快感を低減する技術を開示している。しかしながら、これらの技術は、繊維形態を特殊な扁平形態にしてさらさら感を付与するカーペットの技術であったり、潜熱蓄熱材を利用して衣料用等の薄物の繊維表面に清涼感を与える技術ではあるが、厚みがあって空気を多く含み、断熱効果が大きな繊維集合体であるカーペットにおいては、保温効果が大きいことから、カーペットとしての清涼感、冷感を得られるような技術には到ってはいない。
【特許文献１】特開２００５−４８３０３
【特許文献２】特開２００４−１１５９６４
【特許文献３】特願２００６−１６１２２６
【発明の開示】
【発明が解決しようとする課題】
【０００６】
本発明は、かかる技術的背景に鑑みてなされたものであって、人がカーペットの表面に触れたときに、確実に冷やりとした涼しさを感じられるようにした、夏用のカーペットを提供することを目的とする。
【課題を解決するための手段】
【０００７】
本発明者らは、このような課題を解決するために鋭意検討の結果、基布の表面側と、基布から上のパイル糸全体に相転移材料を封入したマイクロカプセルを固着させることにより、人がカーペットの表面に触れたときに、確実に冷やりとした涼しさを感じられるようにした夏用のカーペットが得られることを見出し本発明に到達した。前記目的を達成するために、本発明は以下の手段を提供する。
【０００８】
［１］パイル糸と基布からなる表皮層と、バッキング層とを含むカ−ペットにおいて、基布から上のパイル糸に相転移材料を封入したマイクロカプセルが固着されていることに特徴のある涼感カ−ペット。
【０００９】
［２］パイル糸と基布からなる表皮層と、バッキング層とを含むカ−ペットにおいて、基布表面と基布から上のパイル糸に相転移材料を封入したマイクロカプセルが固着されていることに特徴のある涼感カ−ペット。
【００１０】
［３］前記相転移材料は、融点が２０〜３５℃で、マイクロカプセルに封入されている相転移材料であることに特徴のある前項１または２に記載の涼感カ−ペット。
【００１１】
［４］前記相転移材料は、融点が２０〜３５℃で、マイクロカプセルに封入されている相転移材料で、二種類以上の融点をもつ相転移材料であることに特徴のある前項１または２に記載の涼感カ−ペット。
【００１２】
［５］前記相転移材料が０．５０〜５０．０ｇ／ｍ２バインダー樹脂によってカ−ペットに固着していることに特徴のある前項１乃至４のいずれかに記載の涼感カ−ペット。
【００１３】
［６］前記涼感カ−ペットにおいて、パイル糸が少なくとも綿を含んでいるパイル糸によって構成されることに特徴のある前項１乃至５のいずれかに記載の涼感カ−ペット。
【００１４】
［７］前記涼感カ−ペットにおいて、ＱＭＡＸ（接触温冷感値）が０．０８５ｊ／ｃｍ２・ｓｅｃより大きいことに特徴のある前項１乃至６のいずれかに記載の涼感カ−ペット。
【発明の効果】
【００１５】
［１］の発明では、パイル糸と基布からなる表皮層と、バッキング層とを含むカ−ペットにおいて、基布から上のパイル糸に相転移材料を封入したマイクロカプセルが固着されているので、人がカーペット表面のパイル糸に触れたとき、冷やりとした涼しさを感じることができる。  
【００１６】
［２］の発明では、パイル糸と基布からなる表皮層と、バッキング層とを含むカ−ペットにおいて、基布表面と基布から上のパイル糸に相転移材料を封入したマイクロカプセルが固着されているので、人がカーペット表面のどの部分に触れたとしても、冷やりとした涼しさを感じることができる。  
【００１７】
［３］の発明では、融点が２０〜３５℃の相転移材料が、マイクロカプセルに封入されてカ−ペットに固着しているので、人体がカ−ペットに接触したときに相転移材料が融解し、そのとき人体から融解熱の移動がおこり、人は、カ−ペットを冷たく感じることができる。
【００１８】
［４］の発明では、融点が２０〜３５℃で、マイクロカプセルに封入されている相転移材料において、二種類以上の融点をもつ相転移材料がマイクロカプセルに封入されてカ−ペットに固着しているので、気温が一つの相転移材料の融点に達していたとしても、他の融点をもつ相転移材料が溶融しないで残っており、人体がカ−ペットに接触したときに残っている相転移材料が融解し、そのとき人体から融解熱の移動がおこり、人は、カ−ペットを冷たく感じることができる。
【００１９】
［５］の発明では、相転移材料が０．５０〜５０．０ｇ／ｍ２バインダー樹脂によって固着しているので、十分な涼感能力を持ったカーペットとすることができる。
【００２０】
［６］の発明では、パイル糸が少なくとも綿を含んでいるパイル糸によって構成されるので、吸湿性のよい綿繊維が、人体の汗等の水分をとることからサラッとした涼感のあるカーペットとすることができる。
【００２１】
［７］の発明では、ＱＭＡＸ（接触温冷感値）が０．０８５ｊ／ｃｍ２・ｓｅｃより大きいので、カーペットに肌が接触したとき冷感を確実に感じることができる。
【発明を実施するための最良の形態】
【００２２】
次に、この発明に係る涼感カーペットの一実施形態を図面に基づいて説明する。この実施形態の涼感カーペット１は、パイル糸２と基布３とバッキング層４を含み、パイル糸２の全体と基布３のパイル糸側表面に相転移材料を封入したマイクロカプセル６がバインダー樹脂（図示せず）により固着されている。（図１参照）夏用のカーペットは、冬用のものに比べてパイル長が低く、ステッチが粗く目付の軽い傾向があるので、人がカーペット上に乗って手をついたとき、パイル糸だけでなく基布にも皮膚が接することがあるので、図１においては、基布表面と基布から上のパイル糸に相転移材料を封入したマイクロカプセル６を固着させている。また図１では、バッキング層４の保護やクッション性を付与するために不織布からなるセカンド基布５を積層している。
【００２３】
相転移材料（ＰＣＭ）は、固相と液相との間で反復転換する材料で、融解、凝固するときに発現する熱を利用して、熱を蓄積、あるいは放出させて、相転移材料周辺の温度を制御するものである。相転移材料としては、パラフィンやワックス等の炭化水素化合物が好適に使用されるが特に限定しない。該相転移材料を封入したマイクロカプセルは市販されており、大和化学工業株式会社製プレサーモ、三木理研工業株式会社製蓄熱蓄冷マイクロカプセル等を挙げることができ、マイクロカプセルの組成としても、特に限定されなくて、一般に市販されているものでよい。
【００２４】
本発明で使用する相転移材料を封入したマイクロカプセルは、熱吸収のピーク温度（融点ともいう）または熱放散のピーク温度（凝固点ともいう）が２０〜３５℃の範囲内であるものが好ましい。人の体温は、３６〜３７℃であるが、手や足の表面温度はこれよりも低く３２〜３４℃といわれているので、２０〜３５℃で熱吸収のピーク温度（融点）となる相転移材料が好ましい。より好ましいピーク温度（融点）は、２５〜３２℃である。
【００２５】
熱吸収のピーク温度が低すぎる場合では、人体が接触する前に既に相転移材料が溶けてしまっており、人体が接触しても涼感効果を得ることはできない。また、熱吸収のピーク温度が高すぎる場合には、人体が接触しても、相転移材料が溶けないため、涼感効果を得ることはできない。
【００２６】
室温の高い部屋で本発明のカーペットを使用する場合は、二種類以上の融点をもつ相転移材料が有効である。例えば、融点が２５℃と３２℃の二種類の融点をもつ相転移材料を封入したマイクロカプセルを５０対５０の割合でパイル糸と基布に固着させた場合、夏の日の朝の室温が２０℃のときは、融点２５℃の相転移材料が有効に働き涼感効果を得ることができる。午後になって室温が上昇し、３０℃となった場合は、融点の低い相転移材料は、既に溶けてしまっており、３２℃の融点をもつ相転移材料の効果しか得ることができない。２５℃の融点をもつ相転移材料で全てを構成した場合、午前中は、涼感を感じられるが、午後は全く感じられない状況となる。また、３２℃の融点をもつ相転移材料で全てを構成した場合は、室温と融点の温度差が大きく、ほとんど涼感効果が得られないが、室温と融点の温度差が小さくなる午後には涼感を感じられるようになる。
【００２７】
相転移材料を封入したマイクロカプセルは、０．５０〜５０．０ｇ／ｍ２バインダー樹脂によってカーペットの基布表面と基布から上のパイル糸に固着されるのが好ましい。０．５０ｇ／ｍ２を下回ると涼感効果を感じられない。また、５０．０ｇ／ｍ２を超えて固着しても、カーペットの風合が硬くなり、コストが上昇するだけで効果が伴わず好ましくない。より好ましくは、１〜２０．０ｇ／ｍ２の固着量がよい。
【００２８】
また相転移材料を封入したマイクロカプセルの粒径は１〜５０μｍが好ましい。５０μｍを超えると、ザラツキ感や硬さが発現しカーペットの好ましい風合にならない。更に好ましい粒径は、５〜２５μｍである。
【００２９】
バインダー樹脂としては、パイル糸２と基布表面に相転移材料を封入したマイクロカプセル６を強固に固着することが出来ればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００３０】
パイル糸２と基布表面に相転移材料を封入したマイクロカプセル６を固着する方法は、バインダー樹脂溶液に浸透剤、相転移材料を封入したマイクロカプセル等を均一に分散させ、スプレー法やコーティング法など従来からある方法でカーペットのパイル糸側にパイル糸の上側から十分塗布し、乾燥処理してパイル糸と基布の表面に固着する。この時、浸透剤を混入しないとパイル表面に処理液が留まり、パイルの根元付近まで処理液が届かないことから、浸透剤を適度に使用することが好ましい。バインダー樹脂の乾燥手段は、加熱処理により乾燥させる方が望ましく、バッキング層の乾燥工程と同時に行うと効率的である。この時の加熱処理温度は、パイル糸と基布とバッキング層の素材や規格にもよるが、１００〜１８０℃とするのが好ましい。この温度での加熱処理によりパイル糸への固着性がより高まり、耐久性が一段と向上する。
【００３１】
また、前記相転移材料を封入したマイクロカプセルと浸透剤とバインダー樹脂とは、水に分散した水分散液として使用することができる。バインダー樹脂については水との間でエマルジョン状態を形成させるのがより好ましい。なお、分散媒としては、水以外にアルコール等も使用し得るが、水が好適である。水に分散させる順序としては、相転移材料を封入したマイクロカプセルを水に分散させておいてから、浸透剤、バインダー樹脂を分散せしめるのが、マイクロカプセルとバインダー樹脂をより均一に分散させる観点から好ましい。また、この水分散液に、分散剤、増粘剤などの各種添加剤を配合してもよい。
【００３２】
本発明において、パイル糸２の素材としては特に限定されず、ポリエステル繊維、ポリアミド繊維、ポリプロピレン繊維、アクリル繊維、レ−ヨン繊維等の合成繊維からなるもの等を好適に使用でき、その他麻、綿、羊毛等の天然繊維からなるもの等も使用できる。中でも、綿は吸水性に優れていることから夏用のカーペットに多く使われており、本発明においても吸湿性のよい綿繊維が相転移材料を封入したマイクロカプセルの効果と相俟って、サラッとした涼感のあるカーペットとすることができる。パイルの形態としてもカットパイルであっても、ル−プパイルであってもよいが、ル−プパイルのほうが涼感は感じやすい。パイル糸２の目付についても、特に限定されないで、カーペットの形態をなすものであればよい。
【００３３】
また、基布３としても、特に限定されるものではなく、ポリエステル繊維やポリプロピレン繊維、麻、綿等の天然繊維からなる織、編基布、不織布等通常使用される基布でよいが、中でも、綿基布は吸水性に優れていることから夏用のカーペット基布に多く使われており、本発明においても好ましい素材である。
【００３４】
ＱＭＡＸは、一定面積、一定質量の純銅板（熱容量０．４１８５５ｊ／℃）に熱を蓄え、これが試料表面に接触した直後に、蓄えられた熱量が低温側の試料物体に移動する熱量のピーク値を測定した値をいうもので、ＱＭＡＸが大きいほど接触したときに冷たく感じ、小さいほど温かく感じる。
【００３５】
次に、バッキング層５としては、パイル糸２と基布３とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的である。
【００３６】
また、図１に示すようにバッキング層４の下側にクッション性能とバッキング層の保護性能を付与すべく、不織布からなるセカンド基布５を設けてもよい。セカンド基布５としては、特に限定されず、ニ−ドルパンチ不織布、スパンボント不織布等を例示できる。セカンド基布５の目付は５０〜１０００ｇ／ｍ２、その厚さを０．５〜１５ｍｍ、構成繊維の繊度を０．１〜３０デシテックスの範囲に設定するのが好ましい。セカンド基布５の目付が、５０ｇ／ｍ２未満ではカ−ペットとしての機能や品位の劣ったものとなり、好ましくない。１０００ｇ／ｍ２を超えると徒にコスト増大となるだけで好ましくない。素材としては、パイル糸、基布と同様に特に限定されない。また、セカンド基布５の最下部表面に、樹脂組成物やゴム組成物で滑り止め層を形成してもよい。
【実施例】
【００３７】
次に、この発明の実施例として使用したカーペットの材質、構造、相転移材料を封入したマイクロカプセルの種類、加工方法、涼感性能測定試験および判定方法は次の通りである。
【００３８】
＜使用材料＞
基布・・・目付１００ｇ／ｍ２ポリプロピレンテープヤーン織布（１４×１３）
パイル糸・・・ポリエステル繊維からなるパイル糸をループ状にタフティング機（１／８Ｇ）で基布に植え込む（パイル長５．０ｍｍ、目付５００ｇ／ｍ２）
バッキング層・・・ＳＢＲラテックス（充填剤として炭酸カルシウム）
セカンド基布・・・５デシテックスのポリエステル繊維からなるニードルパンチ不織布（目付３００ｇ／ｍ２、厚さ６ｍｍ）
相転移材料を封入したマイクロカプセル・・・プレサーモ（大和化学工業株式会社製）融点２５℃と融点３１℃の二種類
バインダー樹脂・・・アクリル−シリコン共重合体樹脂「ライトエポック」（共栄社株式会社製）
浸透剤・・・「ペレックスＯＴ−Ｐ」（花王株式会社製）
【００３９】
＜涼感性能測定試験＞
ＱＭＡＸ・・・カトーテック株式会社製ＴＨＥＲＭＯ  ＬＡＢＯ  ＩＩ  ＴＹＰＥを用い、純銅板の初期温度３０℃、カーペット温度２０℃、接触圧０．９８ｋＰａで測定した。０．０８５ｊ／ｃｍ２・ｓｅｃより大きいものを合格とした。
官能評価・・・相転移材料を封入したマイクロカプセルを固着していないカーペットを基準に冷たいと感じるかどうかを一対比較法で評価し、被験者数を１０人とし、８０％以上の人が冷たいと感じたものを合格とした。（気温２０℃湿度６５％の標準室内にて評価）
【００４０】
＜実施例１＞
水１００重量部に相転移材料を封入したマイクロカプセル分散液（パラフィン封入、融点２５℃、固形分４０％）６重量部を分散させておいてから、浸透剤０．５重量部、バインダー樹脂を６重量部分散した水溶液をスプレーにてカーペット表面に２５０ｇ／ｍ２塗布し、１２０℃、１０分間乾燥処理して、カーペット上に相転移材料を封入したマイクロカプセルを６ｇ／ｍ２固着した涼感カーペットを得た。カーペット断面を実態顕微鏡で観察したところ、パイル糸に相転移材料を封入したマイクロカプセルが固着しているのを確認できた。(図２参照)
涼感性能測定試験でＱＭＡＸは０．１００ｊ／ｃｍ２・ｓｅｃで、比較例１との官能評価においては９人の人が冷たいと感じていた。
【００４１】
＜比較例１＞
実施例１において、相転移材料を封入したマイクロカプセル分散液を０とした以外は実施例１と同様にしてカーペットを得た。涼感性能測定試験でＱＭＡＸは０．０８０ｊ／ｃｍ２・ｓｅｃで、官能評価において基準となるカーペットとした。
【００４２】
＜実施例２＞
実施例１において、相転移材料の融点が３１℃のものを使用した以外は実施例１と同様にしてカーペットを得た。涼感性能測定試験でＱＭＡＸは０．０９０ｊ／ｃｍ２・ｓｅｃで、比較例１との官能評価において８人の人が冷たいと感じていた。
【００４３】
＜実施例３＞
実施例１において、パイル糸を綿１００％の４．２番手双糸とした以外は実施例１と同様にしてカーペットを得た。涼感性能測定試験でＱＭＡＸは０．１１０ｊ／ｃｍ２・ｓｅｃで、官能評価において全員の人が冷たいと感じていた。
【００４４】
＜比較例２＞
実施例１において、相転移材料を封入したマイクロカプセル分散液（パラフィン封入、融点２５℃、固形分４０％）を０．３重量部とした以外は実施例１と同様にしてカーペットを得た。カーペット上に相転移材料を封入したマイクロカプセルを０．３ｇ／ｍ２固着したカーペットであった。涼感性能測定試験でＱＭＡＸは０．０８３ｊ／ｃｍ２・ｓｅｃで、比較例１との官能評価において５人の人が冷たいと感じただけであった。
【００４５】
＜実施例４＞
実施例１において、浸透剤を０とした以外は実施例１と同様にしてカーペットを得た。涼感性能測定試験でＱＭＡＸは０．１０５ｊ／ｃｍ２・ｓｅｃで合格で、官能評価において１０人の人全員が冷たいと感じた。マイクロカプセルは、パイル糸の上部に多く固着し、パイル糸の下部や基布の上面には殆んど固着していない状態が観察された。
【００４６】
＜参考例１＞
実施例１において、マイクロカプセル分散液（パラフィン封入、融点２５℃と３０℃を半々、固形分４０％）６重量部としとした以外は実施例１と同様にしてカーペットを得た。実施例１と共に気温２８℃湿度７０％の室内にて官能評価したところ、実施例１は全員涼感を感じられなかったが、参考例１は８人の人が冷たいと感じていた。
【００４７】
上述のように、相転移材料を封入したマイクロカプセルを少なくともパイル糸に固着しているものについては、未加工のものと比較して、明らかに涼しさの感じられるカーペットとすることができた。
【図面の簡単な説明】
【００４８】
【図１】この発明の一実施形態に係る涼感カーペットを示す概略断面図である。
【図２】この発明の一実施形態に係る涼感カーペットの断面の拡大写真で、相転移材料を封入したマイクロカプセルが繊維に固着する様子を示している。
【図３】比較例１におけるカーペットの断面の拡大写真で、相転移材料を封入したマイクロカプセルが繊維に固着していない様子を示している。
【符号の説明】
【００４９】
１・・・涼感カーペット
２・・・パイル糸
３・・・基布
４・・・バッキング層
５・・・セカンド基布
６・・・相転移材料を封入したマイクロカプセル
【図１】
2008285803.tif 000003
【図２】
2008285803.tif 000004
【図３】
2008285803.tif 000005